(57)【要約】【課題】印刷可能シートに記録された画像が鮮やかな色になる記録光ディスクを提供する。【解決手段】基板２０と、基板２０の少なくとも片面に設けられた有機又は無機材質よりなる記録層２０ａと、記録層２０ａを覆うように記録層２０ａの上に設けられた記録層２０ａへのレーザー光を収束する保護薄層カバー層３０とを設けた記録ディスクであって基板２０の薄層カバー層３０の反対面２０ｂに薄層カバー層３０とほぼ同じ物理特性を有する画像印刷層１０を設けて成る記録ディスクにおいて、画像印刷層１０が実効的に下層と上層の２層構造よりなり、下層は蛍光物質を含有する下地層１２であり、上層は下地層１２を覆うように下地層１２の上に設けられた印刷可能層１１とした。【選択図】  図１
2004227716.tif 000002
【特許請求の範囲】
【請求項１】
基板と、該基板の少なくとも片面に設けられた有機又は無機材質よりなる記録層と、該記録層を覆うように該記録層の上に設けられた該記録層へのレーザー光を収束する薄層カバー層と、を設けた記録ディスクであって前記基板の前記薄層カバー層の反対面に該薄層カバー層とほぼ同じ物理特性を有する画像印刷層を設けて成る記録ディスクにおいて、
前記画像印刷層が実効的に下層と上層の２層構造よりなり、下層は蛍光物質を含有する下地層であり、上層は該下地層を覆うように該下地層の上に設けられた印刷可能層であることを特徴とする記録ディスク。
【請求項２】
前記下地層は前記基板上に等方一様に形成され、前記画像印刷層は複数のブロックにて構成され、各ブロック間は非印刷部としたことを特徴とする請求項１記載の記録ディスク。
【請求項３】
前記画像印刷層は複数のブロックにて一つの印刷画像を構成し、各ブロック間は光透過性を有する非印刷部としたことを特徴とする請求項１又は２記載の記録ディスク。
【請求項４】
前記画像印刷層は個々のブロックが相異なる印刷画像をサムネイル状に形成し、各ブロック間は非印刷部としたことを特徴とする請求項１又は２記載の記録ディスク。
【請求項５】
前記非印刷部は格子状、放射状、同芯円状の１つ又は組み合わせから形成されたことを特徴とする請求項２〜４のいずれか１項記載の記録ディスク。
【請求項６】
表面または裏面に印刷可能な領域と、印刷不可能な領域とを設けたことを特徴とする記録ディスク基板貼付け用薄層プラスチックシート。
【発明の詳細な説明】
【０００１】
【発明の属する技術分野】
本発明は、大容量情報記録用ディスクに関するもので、特にＢｌｕ−Ｒａｙ（ブルーレイ）ディスクのような短波長紫外線記録を行うディスクに関する。
【０００２】
【従来の技術】
情報信号が形成された基板上に極薄層透明カバー層を設けて、この透明カバー層側からレーザ光を照射して、情報信号の記録／再生を行うようにした光ディスクが提案されている（特許文献１参照）。この光ディスクでは光ディスク基板を１．２ｍｍ程度の通常の厚さに成形することができるため、ディスク基板を射出成形法により製造する場合においても、凹凸の転写を精度良く行うことが可能となった。一方、記録／再生のためのレーザ光は、極薄層透明カバー層が設けられた側から照射されるため、記録容量の大容量化にも十分に対応することが可能になった。このようにＢｌｕ−Ｒａｙディスクは、大口径アンチ・リフレクション（Ａｎｔｉ−Ｒｅｆｌｅｃｔｉｏｎ）特性を必要とするため、記録面側に極薄層透明カバー層を設けてディスクの特性安定化と使用上の美観を確保することを行っていた。
【０００３】
【特許文献１】
特開２００２−９２９６５号公報。
【０００４】
この場合Ｂｌｕ−Ｒａｙディスクではカバー層は約０．１ｍｍであり、紫外線硬化樹脂をコートした後、硬化処理を行うことが一般的である。Ｂｌｕ−Ｒａｙ記録は種々提案されているが、追記性などがユーザーから期待されている。
追記性を確実にするためには、有機色素系記録材料が用いられることが多い。記録には紫外線レーザー光を用いて行われるが、カバー層硬化に紫外線硬化法を用いることはあまり好ましいことでは無く、薄層プラスチックシート（ポリカーボネイト、ＴＡＣ、ＰＥＴなど）を貼り付けすることで、適正なカバー層厚みが得られ且つ紫外線硬化を行わないので、有機色素系記録材料にダメージを与えることが少なく好ましい方法といえる。
【０００５】
一方、プラスチックシートは強度、厚み精度を得る為に製造工程において引っ張り工程が必要不可欠であり、この結果プラスチックシートには非可逆的な熱膨張収縮特性を有することとなる。この材料をディスク基板に貼り付け一体化した場合、通常環境での保存は特に問題ないが、高温高湿保存や、サーモサイクル保存で熱収縮や吸湿収縮によりカバー層寸法が変化し、貼り付けられた基板に「反り」を与え、チルト量が変化する結果記録再生特性に悪い影響を引き起こす場合がある。
Ｂｌｕ−ＲａｙディスクではＡＲ特性が厳しく（この影響がＣＤやＤＶＤに比べて大きい）、わずかなチルト変化が特性劣化を生じる。
【０００６】
本出願人はこれに対拠するため、記録面側のカバー層と反対側の画像表示層に同じ特性のプラスチックシートを円形に加工して接着することで、バランスを得ることができ、したがって高温高湿の保存下でも安定した特性を得ることが出来ることを見い出した。
しかも、この画像表示層はシート状でのハンドリングが可能であり、画像を印刷した後にディスクに貼り付けたり、ディスクに貼り付けた後に印刷するなど、様々な手法での画像印刷がディスクに対して可能となるため、商品価値を高めることが可能となった。
【０００７】
図５はＢｌｕ−Ｒａｙディスクの構造を説明する図で、（ａ）は平面図、（ｂ）は正面断面図である。
図において、１０は印刷可能シート、２０は基板、２０ａは記録層、３０は保護カバーシート、Ｌ２はレーザビーム（青波長）である。
基板２０は厚さ１．２ｍｍのポリカーボネイトである。
記録面が基板２０のレーザ入射側にあるので、波長が短いレーザ光で記録することから、表面にゴミが付着するのを防止する必要があるため、この保護カバーシート３０が用いられている。この保護カバーシート３０はＰＣ（ポリカーボネイト）、ＴＡＣ、又はＰＥＴ（ポリエチレンテレフタレート）で作られている。
【０００８】
この光ディスクの記録内容がディジタル画像である場合、利用者がこの光ディスクの記録内容を知る方法としては、記録内容を知りたいその都度、この光ディスクを再生装置に入れて見ることになるが、これは面倒な作業であった。
また、この光ディスクを収納するケースに記録内容を印刷することも行われていたが、その場合、光ディスクを常に対応した特定のケースに収納する必要があり、この作業自体面倒な作業であったし、また、光ディスクが常に対応した特定のケースに収納されるとは限らず、光ディスクが別の印刷内容を示すケースに収納されてしまうこともしばしばおきた。したがって内容確認のためには最終的に再生装置を使うこととなった。
【０００９】
また、光ディスクの記録内容を手軽に知るために、光ディスクに紙ラベルを貼って、この上に光ディスク内容を文字で記入することも考えられるが、文字を読んで内容を知ることは面倒で、時間がかかり、また文字を理解できない子供や外国人には使いにくいものであった。
このように光ディスクの内容を利用者が簡単に知ることは、従来から容易なことではなかった。
【００１０】
本出願人が別途発明した光ディスクによれば、保護カバーシートと同じ物理特性を有するシートを基板の反対側に接着することにより、基板が高温下に置かれても反らなくなるようにしている。
そこでこのシートを印刷可能なシートとすることにより、ここに記録内容であるディジタル画像の代表画像を１つ以上必要個印刷すれば、光ディスクの内容を一目で知ることができ、ケースがどのようなケースに収納されても内容が変わるという不便さがなくなる。したがって、このような記録可能シートを光ディスク基板に接着したあとこの上に画像を印刷したり、あるいは記録可能シートに画像を印刷したあとこれを光ディスク基板に接着すれば、光ディスクとその記録内容が常に一致するので便利となり、しかも画像で記録することによって、子供や文字の読めない人にも優しい光ディスクとなる。
【００１１】
【発明が解決しようとする課題】
ところが、光ディスク基板に接着された記録可能シートの画像を見るとき、その画像は反射光で見ることになるため、全体が鮮やかな色に見えることは少なく、大抵は沈んだ暗い画像になってしまった。
本発明は、この課題を解決するもので、基板に接着された記録可能シートに記録された画像を反射光で見ることになっても鮮やかな色で見えるようにできる光ディスクを提供することを目的とする。
【００１２】
【課題を解決するための手段】
上記課題を解決するため、請求項１記載の記録ディスクの発明は、基板と、該基板の少なくとも片面に設けられた有機又は無機材質よりなる記録層と、該記録層を覆うように該記録層の上に設けられた該記録層へのレーザー光を収束する薄層カバー層と、を設けた記録ディスクであって前記基板の前記薄層カバー層の反対面に該薄層カバー層とほぼ同じ物理特性を有する画像印刷層を設けて成る記録ディスクにおいて、前記画像印刷層が実効的に下層と上層の２層構造よりなり、下層は蛍光物質を含有する下地層であり、上層は該下地層を覆うように該下地層の上に設けられた印刷可能層であることを特徴とする。
このような構成によれば蛍光発色剤を基板に設けて、その上に印刷可能シートを置いているので、印刷可能シートの画像の明るい部分から蛍光発色剤に入った太陽光により蛍光発色層が発光し印刷可能シートを裏側から照射することとなり、印刷可能シートに記録された画像が鮮やかな色になる。
【００１３】
請求項２記載の発明は、請求項１記載の記録ディスクにおいて、前記下地層が前記基板上に等方一様に形成され、前記画像印刷層は複数のブロックにて構成され、各ブロック間は非印刷部としたことを特徴とする。
請求項１記載の場合、画像全体がシャドーに近いような黒っぽい場合には太陽光が蛍光発色体に届かなくなるおそれがあり、せっかく設けた蛍光発色体が機能を発揮しなくなる場合があったが、上記構成により印刷可能シートに光透過性を有する印刷しない非印刷部や印刷できないような印刷不可能部を設けているので、この透明な非印刷部から太陽光が下地層に到達し蛍光物質を刺激して、反射光となるので、どのような黒系の画像が印刷されようと鮮やかに見えるようになる。
【００１４】
請求項３記載の発明は、請求項１又は２記載の記録ディスクにおいて、前記画像印刷層が複数のブロックにて一つの印刷画像を構成し、各ブロック間は非印刷部としたことを特徴とする。
上記構成により、一つの印刷画像が複数のブロックにて印刷可能シートに光透過性を有する印刷しない非印刷部や印刷できないような印刷不可能部を設けているので、マルチウインドウタイプの美観のよい、しかも透明な非印刷部から太陽光が下地層に到達するため鮮やかな色に見えるようになる。
【００１５】
請求項４記載の発明は、請求項１又は２記載の記録ディスクにおいて、前記画像印刷層は個々のブロックが相異なる印刷画像をサムネイル状に形成し、各ブロック間は非印刷部としたことを特徴とする。
上記構成により、印刷画像をサムネイル状に形成したので内容を簡単にかつ正確に知ることが出来、しかも光透過性を有する透明な非印刷部から太陽光が下地層に到達するため鮮やかな色に見えるようになる。
【００１６】
請求項５記載の発明は、請求項２〜４のいずれか１項記載の記録ディスクにおいて、前記非印刷部が格子状、放射状、同芯円状の１つ又は組み合わせから形成されたことを特徴とする。
上記構成により、非印刷部が幾何学的形状を成すので、美観のよい、しかも透明な非印刷部から太陽光が下地層に到達するため鮮やかな色に見えるようになる。
【００１７】
請求項６記載の記録ディスク基板貼付け用薄層プラスチックシートの発明は、表面または裏面に印刷可能な領域と、印刷不可能な領域とを設けたことを特徴とする。
ユーザーはこのような記録ディスク基板貼付け用薄層プラスチックシート用いれば、ここに画像を印刷するだけで、自動的に印刷部と非印刷部とが形成されるので、便利である。
【００１８】
【発明の実施の形態】
以下、本発明の実施の形態について図面を用いて詳細に説明する。
図１は本発明の第１の実施の形態に係る光ディスクの分解斜視図である。
図において、１０は印刷可能シート、２０は基板、３０は保護カバーシートである。基板２０は記録層２０ａ側に保護カバーシート３０が接着され、反対面２０ｂに印刷可能シート１０が接着される。本発明によれば印刷可能シート１０を画像印刷層１１と蛍光下地層１２とで構成したのが特徴である。
印刷可能シート１０は保護カバーシート３０とほぼ同じ物理特性を有する材質であり、したがってはポリカーボネイト、ＴＡＣ、又はポリエチレンテレフタレートで作られている。
蛍光下地層１２の蛍光発色剤は酸化亜鉛を含有する塗料や、燐を含有する塗料で実現できる。
【００１９】
図３は本発明の実施の形態に係る光ディスクの縦断面を示す図で、（ａ）は図１の光ディスクの縦断面図を示している。図３（ａ）において、１０は印刷可能シートで画像印刷層１１と蛍光下地層１２とから成る。２０は基板、３０は保護シートカバーである。そこで、太陽光Ｌ１、Ｌ２が画像印刷層１１に達すると、画像印刷層１１の画像部分で反射して目に届く他に、画像印刷層１１の画像のうち印刷が行われていない部分や印刷の明るく透明に近い薄い色彩の部分では太陽光Ｌ２の一部が透過して蛍光下地層１２に達し、そこで太陽光Ｌ２の紫外線部分が蛍光発色剤を励起して蛍光発色剤が発光し、その発色光が画像部分を裏から照射するようになって、バックライト効果により人の目に鮮やかな色に見えることとなった。
【００２０】
このように本発明の第１の実施の形態に係る光ディスクによれば、印刷可能シートの画像の明るい部分から蛍光発色剤に入った太陽光が、発光し、印刷可能シートを裏側から照射することとなり、したがって印刷可能シートに記録された画像が鮮やかな色になる。
【００２１】
図２は本発明の第２の実施の形態に係る光ディスクの分解斜視図である。
第２の実施の形態では、印刷可能シート１０の画像印刷層１１が、印刷部１１ａと非印刷部１１ｂとに分けられているのが特徴である。
非印刷部部１１ｂは、印刷時に積極的に印刷を行っていない部分（非印刷部）でもよいし、あるいは印刷してもこの部分には印刷されることのできないようになっている部分（印刷不可能部）でも、どちらでもよい。
印刷できないようにするにはこの部分に親水性物質をコーティングすればよい。
このようにすることにより非印刷部１１ｂを通して必ず太陽光が入ることができるので、太陽光（紫外線）が蛍光下地層１２の蛍光発色剤を励起して発光し、画像印刷層１１を裏側から照射するようになるので鮮やかな画像が見られるようになる。
【００２２】
図３は本発明の実施の形態に係る光ディスクの縦断面を示す図で、（ｂ）は図２の光ディスクの縦断面図を示している。両図において共通して１０は印刷可能シートで画像印刷層１１と蛍光下地層１２とから成る。２０は基板、３０は保護シートカバーである。
（ａ）の場合、たまたま全体がシャドーに近い画像の場合は鮮やかな色は得られないが、（ｂ）の構成にすれば、全体がシャドーに近い画像の場合であっても必ず鮮やかな色が得られることとなる。
【００２３】
図４は、本発明の第３の実施の形態に係る印刷可能シート１０に設けられる画像印刷層１１の非印刷部１１ｂの各種形状を示している。
図において、１１は画像印刷層、１１ａは印刷可能部、１１ｂは非印刷部である。（ａ）は非印刷部１１ｂが格子状、（ｂ）は非印刷部１１ｂが放射状、（ｃ）は非印刷部１１ｂが同心状となっている。
このような形状のどれかを採用することにより、上述のように画像である印刷部１１ａが鮮やかになるばかりか画像全体がマルチウインドウやジグソウ的な表現となり、美的価値も向上する。
格子、放射線、同心円の幅の大きさや数は設計により適宜変更してもよい。
また、（ａ）〜（ｃ）はそれぞれ単独で用いられてもよいが、２つ以上を組み合わせてももちろんよい。
【００２４】
以上は、Ｂｌｕ−Ｒａｙディスクを例に説明してきたが、本発明はこれに限定されるものではなく、他の記録ディスク（ＣＤ、ＤＶＤ）にも同じように適用すれば、薄層プラスチックシートに印刷された画像が鮮やかな色で見られることができるようになることは言うまでもない。
【００２５】
【発明の効果】
以上のように、本発明によれば、大容量情報記録用ディスクにおいて、特にＢｌｕ−Ｒａｙディスクのような短波長紫外線記録を行うもので、大口径ＡＲ特性を必要とするため、記録面側に極薄層透明カバー層を設け、基板の物理特性のバランスを取るために反対側に同様な物理特性のバランス層を設けた情報記録（画像、音楽などの情報も含む）ディスクにおいて、バランス層には記録内容を示す画像印刷層を設ける、その画像印刷層を下層に蛍光発色層、上層に画像印刷層で構成したので、蛍光発色層の発光が上層印刷面の識別を向上させ、美観も向上させることとなる。
また非印刷部を設けることで、蛍光を励起する光線を容易に下地の蛍光層まで到達させることが出来、画像印刷層の識別性（美観）を確保出来る。
画像印刷層を様々な形状の複数のブロックにて構成することで、一体画像のデザインの多様化やサムネイル表示を簡単に且つ美観を確保したまま得ることが出来る。
【図面の簡単な説明】
【図１】本発明の第１の実施の形態に係る光ディスクの分解斜視図である。
【図２】本発明の第２の実施の形態に係る光ディスクの分解斜視図である。
【図３】本発明の実施の形態に係る光ディスクの縦断面を示す図で、（ａ）は図１の光ディスク、（ｂ）は図２の光ディスクの縦断面図をそれぞれ示している。
【図４】本発明の第３の実施の形態に係る印刷可能シートに設けられる画像印刷層の非印刷部の各種形状を示している。
【図５】ブルーレイ・ディスクの構造を説明する図で、（ａ）は平面図、（ｂ）は正面断面図である。
【符号の説明】
１０  印刷可能シート
１１  画像印刷層
１１ａ  印刷部（印刷可能部）
１１ｂ  非印刷部
１２  蛍光下地層
２０  基板
２０ａ  記録層
２０ｂ  記録層の反対面
３０  保護シートカバー
Ｌ１  反射光
Ｌ２  太陽光
【図１】
2004227716.tif 000003
【図２】
2004227716.tif 000004
【図３】
2004227716.tif 000005
【図４】
2004227716.tif 000006
【図５】
2004227716.tif 000007